(57)【要約】【課題】端子金具と回路基板の接触信頼性を確保する。【解決手段】カードエッジコネクタＡは、回路基板５１を挿入するための基板収容空間１７が形成された合成樹脂製のハウジング１１と、回路基板５１と接触可能な接点部２５を有し、接点部２５を基板収容空間１７に臨ませるようにハウジング１１に取り付けられた端子金具２０と、対をなす取付部４１と、対をなす取付部４１の基端部同士を連結する連結部４２とを一体化した離間規制部材４０とを備える。対をなす取付部４１が回路基板５１を挟む一対の端子金具２０に個別に取り付けられることで、端子金具２０が回路基板５１から遠ざかる方向へ相対変位することを規制している。【選択図】図１
2017059429.tif 000002
【特許請求の範囲】
【請求項１】
回路基板を挿入するための基板収容空間が形成された合成樹脂製のハウジングと、
前記回路基板と接触可能な接点部を有し、前記接点部を前記基板収容空間に臨ませるように前記ハウジングに取り付けられた端子金具と、
前記回路基板を挟んで対をなす前記端子金具同士を連結し、前記対をなす端子金具同士が前記回路基板から遠ざかる方向へ相対変位することを規制する離間規制部材とを備えていることを特徴とするカードエッジコネクタ。
【請求項２】
前記離間規制部材が、対をなす取付部と、前記対をなす取付部の基端部同士を連結する連結部とを一体化した単一部品であり、
前記対をなす取付部が前記対をなす端子金具に個別に取り付けられていることを特徴とする請求項１記載のカードエッジコネクタ。
【請求項３】
前記離間規制部材は、
前記回路基板に沿って並列配置された複数対の前記取付部と、
対をなす前記取付部の基端部同士を連結する前記連結部と、
複数の前記連結部同士を連結する繋ぎ部とを備えた単一部品であることを特徴とする請求項２記載のカードエッジコネクタ。
【請求項４】
前記端子金具が、前記取付部に対し相対変位を規制された状態で取り付けられる端子本体部を有し、
前記接点部が前記端子本体部に対して相対変位を規制された形態で形成されており、
前記離間規制部材は、前記一対の取付部の間隔を広狭させるような形態で弾性変形し得るようになっていることを特徴とする請求項１ないし請求項３のいずれか１項記載のカードエッジコネクタ。
【請求項５】
前記端子金具と前記取付部には、前記取付部を前記端子金具に取り付けた状態に保持する保持部が形成されていることを特徴とする請求項１ないし請求項４のいずれか１項記載のカードエッジコネクタ。
【請求項６】
前記離間規制部材は、前記対をなす端子金具同士を絶縁状態に保持する絶縁手段を備えていることを特徴とする請求項１ないし請求項５のいずれか１項記載のカードエッジコネクタ。
【発明の詳細な説明】
【技術分野】
【０００１】
本発明は、カードエッジコネクタに関するものである。
【背景技術】
【０００２】
特許文献１には、基板収容空間を有するハウジングと、ハウジング内に収容された複数の端子金具とを備えたカードエッジコネクタが開示されている。複数の端子金具は基板収容空間を挟んで対向するように配置されている。基板収容空間に回路基板が挿入されると、端子金具に設けた接点部が回路基板に対して弾性的に当接する。この接点部の弾性的な当接作用により、端子金具と回路基板との間では所定の接触圧が確保される。したがって、接点部が弾性的に回路基板に当接する構造は、端子金具と回路基板との接触信頼性確保のために必要である。
【先行技術文献】
【特許文献】
【０００３】
【特許文献１】特開２００８−０９１０４７号公報
【発明の概要】
【発明が解決しようとする課題】
【０００４】
接点部が回路基板に対して弾性的に当接した状態では、回路基板側から端子金具に対して弾性的な反力が作用する。そして、端子金具に作用する弾性的な反力は、ハウジングの内壁部によって受け止められる。ところが、ハウジングと下記との間に振動または熱変形などの要因により相対的な変位が生じた場合、端子金具はハウジングに追従して動くことから、接点部に摺動が生じ、接触信頼性を損なう虞がある。また、ハウジングは、合成樹脂製であるため弾性的な反力を受け続けるとへたりを生じて変形することが懸念される。ハウジングの変形は、端子金具と回路基板との間の接触圧を低下させる原因となり得る。また、周囲が高温になる環境下でカードエッジコネクタが使用された場合には、ハウジングの熱膨張によって、端子金具と回路基板との間の接触圧が低下する虞がある。接触圧の低下は接触信頼性の低下を引き起こす。
【０００５】
本発明は上記のような事情に基づいて完成されたものであって、端子金具と回路基板の接触信頼性を確保することを目的とする。
【課題を解決するための手段】
【０００６】
本発明のカードエッジコネクタは、
回路基板を挿入するための基板収容空間が形成された合成樹脂製のハウジングと、
前記回路基板と接触可能な接点部を有し、前記接点部を前記基板収容空間に臨ませるように前記ハウジングに取り付けられた端子金具と、
前記回路基板を挟んで対をなす前記端子金具同士を連結し、前記対をなす端子金具同士が前記回路基板から遠ざかる方向へ相対変位することを規制する離間規制部材とを備えているところに特徴を有する。
【発明の効果】
【０００７】
離間規制部材によって端子金具と回路基板とが遠ざかることを規制しているので、端子金具とハウジングとの間には反力が作用しない。これにより、ハウジングと回路基板との間に振動または熱変形などの要因により相対的な変位が生じた場合でも、端子金具は回路基板に追従して動くので、接点部に摺動は生じ難く、接触信頼性に優れている。また、端子金具の接点部が回路基板に弾性的に当接しているときに、回路基板側から端子金具に作用する反力が、ハウジングに作用することはない。したがって、ハウジングがへたりや熱膨張等の変形を生じても、端子金具と回路基板との間では、所定の接触圧が確保されるので接触信頼性に優れている。
【図面の簡単な説明】
【０００８】
【図１】実施例１のカードエッジコネクタにおいて、基板収容空間に回路基板を挿入した状態をあらわす断面図
【図２】基板収容空間に回路基板を挿入していない状態をあらわす断面図
【発明を実施するための形態】
【０００９】
本発明のカードエッジコネクタは、前記離間規制部材が、対をなす取付部と、前記対をなす取付部の基端部同士を連結する連結部とを一体化した単一部品であり、前記対をなす取付部が前記対をなす端子金具に個別に取り付けられていてもよい。  
この構成によれば、対をなす端子金具同士を連結する離間規制部材が、単一部品なので、部品点数が少なくて済む。
【００１０】
本発明のカードエッジコネクタは、前記離間規制部材は、前記回路基板に沿って並列配置された複数対の前記取付部と、対をなす前記取付部の基端部同士を連結する前記連結部と、複数の前記連結部同士を連結する繋ぎ部とを備えた単一部品であってもよい。  
この構成によれば、複数対の端子金具に対し、ワンアクションで離間規制部材を取り付けることが可能である。
【００１１】
本発明のカードエッジコネクタは、前記端子金具が、前記取付部に対し相対変位を規制された状態で取り付けられる端子本体部を有し、
前記接点部が前記端子本体部に対して相対変位を規制された形態で形成されており、
前記離間規制部材は、前記一対の取付部の間隔を広狭させるような形態で弾性変形し得るようになっていてもよい。  
この構成によれば、端子金具の接点部と回路基板との間の接触圧は、離間規制部材の弾力を利用することによって確保される。したがって、接点部が端子本体部に対して弾性的に相対変位可能な形態である場合に比べると、端子金具の形状を簡素化することができる。
【００１２】
本発明のカードエッジコネクタは、
前記端子金具と前記取付部には、前記取付部を前記端子金具に取り付けた状態に保持する保持部が形成されていてもよい。  
この構成によれば、ハウジングの外部で端子金具と離間規制部材を取り付け状態に保持しておくことにより、端子金具と離間規制部材をワンアクションでハウジングに取り付けることができる。
【００１３】
本発明のカードエッジコネクタは、
前記離間規制部材は、前記対をなす端子金具同士を絶縁状態に保持する絶縁手段を備えていてもよい。  
この構成によれば、対をなす端子金具が短絡する虞はない。
【００１４】
＜実施例１＞
以下、本発明を具体化した実施例１を図１〜図２を参照して説明する。尚、以下の説明において、前後の方向については、図１，２における左方を前方と定義する。上下の方向については、図１，２にあらわれる向きを、そのまま上方、下方と定義する。
【００１５】
本実施例１のカードエッジコネクタＡは、ハーネス側コネクタ１０と、基板側コネクタ５０とを備えている。ハーネス側コネクタ１０は、合成樹脂製のハウジング１１と、上下に対向する複数対の端子金具２０とを備えている。基板側コネクタ５０は、回路基板５１と、基板保持部材５２とを備えて構成されている。
【００１６】
ハウジング１１は、ハウジング本体１２と、ハウジング本体１２の後端部に組み付けられたリヤホルダ１３とを備えて構成されている。ハウジング本体１２の内部には、上下対称であり、且つ上下に対向して対をなす複数対の端子収容室１４が左右方向に所定ピッチで並列して形成されている。各端子収容室１４の前端には前壁部１５が形成されている。各端子収容室１４の後端は、ハウジング本体１２の後端面に開口している。ハウジング本体１２の内部には、上側の端子収容室１４と下側の端子収容室１４を区画する隔壁部１６が形成されている。
【００１７】
ハウジング本体１２の内部空間のうち隔壁部１６よりも前方の領域は、ハウジング本体１２（ハウジング１１）の前端面において水平なスリット状に開口する基板収容空間１７となっている。基板収容空間１７は、上側の端子収容室１４の前端部と下側の端子収容室１４の前端部とに連通している。基板収容空間１７には、ハウジング１１の前方から回路基板５１が挿入されるようになっている。
【００１８】
また、ハウジング本体１２の内部のうち隔壁部１６の後方には、上下で対をなす端子収容室１４の後端部同士を連通させる連通室１８が形成されている。連通室１８の後端は、端子収容室１４の後端と同様、ハウジング１１の後端面に開口している。そして、この連通室１８の後端は、リヤホルダ１３によって塞がれている。リヤホルダ１３は、ハウジング本体１２に対し、容易に離脱したり容易に相対変位しないように組み付けれている。また、リヤホルダ１３の前面（連通室１８に臨む面）は、後述する離間規制部材４０の後端を当接させる受け面１９となっている。受け面１９の側面視形状は、円弧面となっている。
【００１９】
端子金具２０は、全体として前後方向に細長い形状をなす。端子金具２０の前端側部分には角筒状の端子本体部２１が形成されている。端子本体部２１は、板面を水平に向けた基板部２２と、基板部２２の左右両側縁から略直角に延出する左右一対の側板部２３と、一方の側板部２３の延出端縁から基板部２２と略平行に延出する対向板部２４とを有する。対向板部２４には、その一部を球面状に外側へ膨出させた形態の接点部２５が形成されている。接点部２５は、端子本体部２１に対して弾性的に相対変位することがなく、端子本体部２１と一定の位置関係を保つ。この接点部２５は、回路基板５１の基板側接点（図示省略）に対し弾性的に接触するようになっている。
【００２０】
端子本体部２１には、後述する離間規制部材４０を取り付け状態に保持する手段として、前止まり部２６（請求項に記載の保持部）とランス２７（請求項に記載の保持部）とが一体の形成されている。前止まり部２６は、前後方向において接点部２５よりも後方に位置している。前止まり部２６の基端部は基板部２２に連なっており、前止まり部２６は、基板部２２から端子本体部２１の内部へ突出した形態である。ランス２７は、前後方向において、前止まり部２６よりも後方に配されている。ランス２７の基端部は対向板部２４に連なり、ランス２７は、対向板部２４から端子本体部２１の内部へ斜め前方に延出した形態である。ランス２７は、弾性変形し得るようになっている。
【００２１】
端子金具２０の後端側部分は、オープンバレル状の圧着部２８となっている。圧着部２８は、前後方向に細長い受け板部２９と、受け板部２９の左右両側縁から延出するカシメ片３０とを備えている。受け板部２９は、端子本体部２１の基板部２２に対して面一状に連続している。圧着部２８には、電線３１の前端部が導通可能に固着されている。電線３１と圧着部２８が圧着された状態では、カシメ片３０と電線３１が、基板部２２及び受け板部２９の板厚方向において、端子本体部２１とは反対側に位置している。
【００２２】
離間規制部材４０は、後述する回路基板５１の接続端縁部５３に沿うように左右方向に並列配置されて上下に対向して対をなす複数対の取付部４１と、対をなす取付部４１の基端部（後端部）同士を連結する連結部４２と、接続端縁部５３に沿うように左右方向に並ぶ複数の連結部４２同士を連結する繋ぎ部４４とを有する上下対称な単一部品である。取付部４１は、角棒状をなし、端子金具２０の端子本体部２１内に上下方向及び左右方向へのガタ付きなく嵌入し得るようになっている。取付部４１のうち対をなす反対側の取付部４１と対向する対向面には、凹部４３（請求項に記載の保持部）が形成されている。連結部４２は、略半円弧形の角棒状をなしている。
【００２３】
上下で対をなす端子金具２０は、後述するように回路基板５１の上面の基板側接点と下面の基板側接点とに接触するので、上下で対をなす端子金具２０間は、電気的に絶縁されている必要がある。このため、離間規制部材４０は、その少なくとも端子金具２０と接触する領域が電気的絶縁性を有する材料からなっている。具体的には、離間規制部材４０の全体が弾性セラミックスまたは合成樹脂材料で成形されていてもよく、金属製の母体の表面に絶縁被膜を形成したものでもよい。尚、合成樹脂材料を用いる場合は、クリープ耐性の強いものが望ましい。そして、離間規制部材４０は、上下で対をなす取付部４１の間隔が拡がったり狭まったりするような形態で弾性撓みし得るようになっている。
【００２４】
回路基板５１は、その上下両面（表裏両面）にプリント回路（図示省略）が印刷されたものである。回路基板５１は、インサート成形により合成樹脂製の基板保持部材５２と一体化されている。回路基板５１のうち基板収容空間１７への挿入方向における先端縁部は、基板保持部材５２からリブ状に突出した接続端縁部５３となっている。接続端縁部５３の上下両面には、プリント回路を構成する複数の基板側接点（図示省略）が、左右方向において端子収容室１４と対応するように（つまり、端子収容室１４に挿入された端子金具２０と同じ配列ピッチで）配されている。回路基板５１は、その接続端縁部５３を先に向けてハウジング１１の前方から基板収容空間１７内に挿入される。
【００２５】
次に、本実施例の作用を説明する。ハーネス側コネクタ１０の組付けは、次のようにして行われる。まず、端子金具２０の圧着部２８に電線３１を導通可能に圧着する。圧着状態では、圧着部２８と電線３１が、端子金具２０の端子本体部２１に対し基板部２２及び受け板部２９を境として上下に段差状にずれた位置関係となる。したがって、端子本体部２１の後方には、圧着部２８も電線３１も存在しない。
【００２６】
電線３１と端子金具２０を圧着した後は、離間規制部材４０の取付部４１に対し、その前方から対をなす端子本体部２１を個別に外嵌する。このとき、上下に対向して対をなす端子金具２０は、その接点部２５（対向板部２４）同士が上下に対向するような位置関係、つまり上下対称な位置関係となる。上下に対向して対をなす取付部４１は、夫々、対をなす端子本体部２１内に挿入され、取付部４１の前端部が端子本体部２１の後端部に収容される。
【００２７】
取付部４１を端子本体部２１に正しく挿入（収容）した状態では、取付部４１の前端が前止まり部２６に当接することにより、取付部４１が端子本体部２１に対して前方への相対変位を規制される。また、取付部４１が端子本体部２１に対して半挿入の状態では、ランス２７が取付部４１と干渉して弾性撓みする。そして、取付部４１が端子本体部２１に対し正しく挿入された状態では、弾性復帰したランス２７が凹部４３に係止することで、取付部４１が端子本体部２１に対して後方への相対変位（つまり、端子本体部２１からの抜け）を規制される。
【００２８】
以上により、取付部４１と端子本体部２１が、前後方向における相対変位を規制された状態に取り付けられる。また、角棒状の取付部４１は角筒状の端子本体部２１内にがたつきなく嵌入されるので、取付部４１と端子本体部２１は、上下方向及び左右方向への相対変位も規制されている。したがって、取付部４１と端子本体部２１（端子金具２０）は、一体的に上下方向へ変位し得るように嵌合されている。また、取付部４１の外面の一部には、圧着部２８の受け板部２９が面当たり状態で当接しているので、この面当たり接触によっても、取付部４１と端子本体部２１の上下方向への相対変位が規制されている。
【００２９】
上記のようにして離間規制部材４０と上下に対向して対をなす複数対の端子金具２０とが組み付けられて一体化される。組付け状態では、離間規制部材４０は弾性変形しておらず、対をなす端子金具２０の接点部２５同士の最小上下間隔が、回路基板５１の板厚寸法よりも小さい寸法となっている。このように一体化された離間規制部材４０と複数対の端子金具２０は、後方からワンアクションでハウジング本体１２内に取り付けられる。そして、上側の端子金具２０と取付部４１は上側の端子収容室１４内に挿入され、下側の端子金具２０と取付部４１は下側の端子収容室１４内に挿入される。また、連結部４２と繋ぎ部４４は連通室１８内に収容される。
【００３０】
端子金具２０と離間規制部材４０をハウジング本体１２に取り付けた状態では、離間規制部材４０がその対をなす取付部４１同士を上下に拡げるような形態で弾性撓みし、図２に示すように、端子本体部２１の対向板部２４の後端部が隔壁部１６の前端縁に当接する。これにより、上下の接点部２５同士が極端に接近したり、接点部２５同士が直接的に当接したりすることがなく、上下の接点部２５同士の間には、回路基板５１の進入を可能にする間隔が確保されている。また、離間規制部材４０が合成樹脂製のハウジング本体１２に直接接触することはない。
【００３１】
端子金具２０と離間規制部材４０をハウジング本体１２内に収容すると、端子金具２０の前端は前壁部１５により前止まりされる。これにより、端子金具２０と離間規制部材４０は、ハウジング本体１２に対して前方への相対変位を規制される。このとき、連結部４２と繋ぎ部４４は、隔壁部１６には接触していない。端子金具２０と離間規制部材４０をハウジング本体１２内に収容したら、ハウジング本体１２の後端部にリヤホルダ１３を組付け、連通室１８の後端の開口を塞ぐ。リヤホルダ１３をハウジング本体１２に取り付けると、受け面１９が、連結部４２と繋ぎ部４４の後端面に対し近接して対向又は当接した状態となる。これにより、端子金具２０と離間規制部材４０は、ハウジング本体１２に対して後方への相対変位を規制される。
【００３２】
以上により、ハウジング１１の組み付けと、ハウジング１１に対する端子金具２０及び離間規制部材４０の組付けが完了する。この後、ハウジング１１の前方から回路基板５１の接続端縁部５３を基板収容空間１７内に挿入する。挿入過程では、接続端縁部５３が上下両接点部２５と干渉し、対をなす端子金具２０と取付部４１を上下に拡開するように変位させる。これに伴い、離間規制部材４０が弾性撓みする。そして、回路基板５１が基板収容空間１７内に正しく挿入された状態では、離間規制部材４０の弾性復元力により、上側の端子金具２０の接点部２５が、回路基板５１の上面側の基板側接点に対して弾性的に当接し、下側の端子金具２０の接点部２５が、回路基板５１の下面側の基板側接点に対して弾性的に当接する。これにより、上下対称に配された複数対の端子金具２０が、回路基板５１を上下方向（回路基板５１の板厚方向）に挟み、回路基板５１と導通可能に接続される。
【００３３】
上述のように本実施例１のカードエッジコネクタＡは、合成樹脂製のハウジング１１と、上下に対向して対をなす複数対の端子金具２０と、離間規制部材４０とを有する。ハウジング１１には、回路基板５１を挿入するための基板収容空間１７が形成されている。端子金具２０は、回路基板５１と接触可能な接点部２５を有し、接点部２５を基板収容空間１７に臨ませるようにハウジング１１に取り付けられている。
【００３４】
離間規制部材４０は、回路基板５１を挟んで対をなす端子金具２０同士を連結し、対をなす端子金具２０同士が回路基板５１から遠ざかる方向へ相対変位することを規制する機能を有するものである。具体的には、離間規制部材４０は、複数対の取付部４１と、複数の連結部４２と、複数の繋ぎ部４４とを有する単一部品である。複数対の取付部４１は、回路基板５１の接続端縁部５３に沿って左右に並列配置され、且つ上下に対向して対をなす。
【００３５】
１つの連結部４２は、上下に対向して対をなす取付部４１の基端部同士を連結する。複数の繋ぎ部４４は、回路基板５１の接続端縁部５３に沿って左右に並ぶ複数の連結部４２同士を、連結する。そして、上下に対向して対をなす取付部４１が、回路基板５１を挟んで対をなす端子金具２０に個別に取り付けられることで、対をなす端子金具２０は、回路基板５１から遠ざかる方向へ相対変位することを規制される。
【００３６】
このように本実施例１のカードエッジコネクタＡは、離間規制部材４０によって端子金具２０と回路基板５１とが遠ざかることを規制している。したがって、端子金具２０の接点部２５が回路基板５１に弾性的に当接しているときに、回路基板５１側から端子金具２０に作用する反力が、ハウジング１１に作用することはない。これにより、ハウジング１１と回路基板５１との間に振動または熱変形などの要因により相対的な変位が生じた場合でも、端子金具２０は回路基板５１に追従して動くので、接点部２５に摺動は生じ難い。また、ハウジング１１がへたりや熱膨張等の変形を生じても、端子金具２０と回路基板５１との間では所定の接触圧が確保される。このように本実施例１のカードエッジコネクタＡによれば、端子金具２０と回路基板５１との間の接触信頼性に優れている。また、離間規制部材４０は、単一部品なので、複数対の端子金具２０をワンアクションでハウジング１１に取り付けることができる。また、繋ぎ部４４で連結しない形態のものに比べると、部品点数を減らすことができる。
【００３７】
また、端子金具２０は、取付部４１に対し相対変位を規制された状態で取り付けられる端子本体部２１を有し、接点部２５が端子本体部２１に対して相対変位を規制された形態で形成されている。そして、離間規制部材４０は、一対の取付部４１の間隔を広狭させるような形態で弾性変形し得るようになっている。この構成によれば、端子金具２０の接点部２５と回路基板５１との間の接触圧は、離間規制部材４０の弾力を利用することによって確保される。したがって、接点部２５が端子本体部２１に対して弾性的に相対変位可能な形態である場合に比べると、端子金具２０の形状を簡素化することができる。
【００３８】
また、端子金具２０と取付部４１には、取付部４１を前記端子金具２０に取り付けた状態に保持する保持部（前止まり部２６、ランス２７、凹部４３）が形成されている。この構成によれば、ハウジング１１の外部で端子金具２０と離間規制部材４０を取り付け状態に保持しておくことができるので、端子金具２０と離間規制部材４０をワンアクションでハウジング１１に取り付けることができる。
【００３９】
また、離間規制部材４０は、対をなす端子金具２０同士を絶縁状態に保持する絶縁手段として、その少なくとも端子金具２０と接触する領域が電気的絶縁性を有する材料からなっている。これにより、上下で対をなす端子金具２０間、及び回路基板５１の表面又は裏面に沿って並列配置されている端子金具２０同士を、電気的な絶縁状態に保つことができる。
【００４０】
＜他の実施例＞
本発明は上記記述及び図面によって説明した実施例に限定されるものではなく、例えば次のような実施例も本発明の技術的範囲に含まれる。  
（１）上記実施例１では、回路基板を板厚方向に挟んで対をなす端子金具に対し、一対の取付部が個別に取り付けられるようにしたが、対をなす端子金具のうち一方の端子金具に一方の取付部を取り付け、他方の取付部を回路基板に係止させてもよい。この場合、回路基板の表面側に位置する端子金具用の離間規制部材と、回路基板の裏面側に位置する端子金具用の離間規制部材とを用いればよい。  
（２）上記実施例１では、接点部が端子本体部に対して相対変位しないように形成され、離間規制部材が、一対の取付部の間隔を広狭させるように弾性変形し得るようになっているが、これに限らず、接点部が端子本体部に対して弾性的に相対変位し、離間規制部材が弾性変形しない形態であってもよく、接点部が端子本体部に対して弾性的に相対変位し、離間規制部材が弾性変形可能な形態であってもよい。  
（３）上記実施例１では、端子金具と取付部には、取付部を端子金具に取り付けた状態に保持するための形状・構造に特徴を有する保持部を形成したが、このような保持部に替えて、圧入や接着等の手段によって、取付部と端子金具を取り付け状態に保持してもよい。
【符号の説明】
【００４１】
Ａ…カードエッジコネクタ
１１…ハウジング
１７…基板収容空間
２０…端子金具
２１…端子本体部
２５…接点部
２６…前止まり部（保持部）
２７…ランス（保持部）
４０…離間規制部材
４１…取付部
４２…連結部
４３…凹部（保持部）
４４…繋ぎ部
５１…回路基板
【図１】
2017059429.tif 000003
【図２】
2017059429.tif 000004